【手続補正書】
【提出日】平成22年1月16日(2010.1.16)
【手続補正１】
【補正対象書類名】明細書
【補正対象項目名】００１５
【補正方法】変更
【補正の内容】
【００１５】
特に、焦点合わせ、ミラーアセンブリの扱いづらさ、カスタム光学部品要件、コスト高で非実用的な光源冷却、および気が散る原因となる表示面上の影の難題を解決して先行技術の制約を克服できる３次元逆投影表示システムが必要とされている。
この出願の発明に関連する先行技術文献情報としては、以下のものがある（国際出願日以降国際段階で引用された文献及び他国に国内移行した際に引用された文献を含む）。
【特許文献１】米国特許第４，４５１，８７４号明細書
【特許文献２】米国特許第４，８５９，０５３号明細書
【特許文献３】米国特許第５，５４６，１３９号明細書
【特許文献４】米国特許出願公開第２００２／００６７４６７号明細書
【特許文献５】米国特許第５，４０９，３５１号明細書
【特許文献６】米国特許第６，６９８，９００号明細書
【特許文献７】米国特許第６，９３７，２１０号明細書
【特許文献８】米国特許第７，３５２，３４０号明細書
【非特許文献１】"Ａｃｒｙｌｉｔｅｄｆ  Ｌｉｇｈｔ  Ｄｉｆｆｕｓｉｎｇ  Ａｃｒｙｌｉｃ  Ｐｏｌｙｍｅｒｓ，"  ２００４，  ＣＹＲＯ  Ｉｎｄｕｓｔｒｉｅｓ  Ｐａｒｓｉｐｐａｎｙ，  Ｎｅｗ  Ｊｅｒｓｅｙ，  <ｈｔｔｐ：／／ｗｗｗ．ｃｙｒｏ．ｃｏｍ／ｉｎｔｅｒｎｅｔ／ＳｉｔｅＣｏｎｔｅｎｔ．ｎｓｆ／ＬｉｇｈｔＤｉｆｆｕｓｉｎｇ２００４！ＯｐｅｎＰａｇｅ>
【非特許文献２】"Ｄｉｇｉｓｔａｒ  ３  Ｌａｓｅｒ  Ａ  Ｑｕａｎｔｕｍ  Ｌｅｅｐ  ｉｎ  Ｄｉｓｐｌａｙ  Ｔｅｃｈｎｏｌｏｇｙ，"  （Ｄａｔｅ  Ｕｎｋｎｏｗｎ），  Ｅｖａｎｓ  &  Ｓｕｔｈｅｒｌａｎｄ  Ｃｏｍｐｕｔｅｒ  Ｃｏｒｐｏｒａｔｉｏｎ，  Ｓａｌｔ  Ｌａｋｅ  Ｃｉｔｙ，  Ｕｔａｈ，  ｈｔｔｐ：／／ｗｗｗ．ｅｓ．ｃｏｍ／ｐｒｏｄｕｃｔｓ／ｄｉｇｉｔａｌ＿ｔｈｅａｔｅｒ／ｄｉｇｉｓｔａｒ３−ｌａｓｅｒ．ａｓｐ．
【非特許文献３】"Ｄｏｍｅ−Ｌａｓｅｒ  Ｐｒｏｊｅｃｔｏｒ  Ｂａｓｅｄ  ｏｎ  Ｌａｓｅｒ  Ｄｉｓｐｌａｙ  Ｔｅｃｈｎｏｌｏｇｙ，"  ２００３，  Ｊｅｎｏｐｔｉｋ  ＬＤＴ  ＧｍｂＨ，  Ｇｅｒａ，  Ｇｅｒｍａｎｙ
【非特許文献４】"Ｆｕｔｕｒｅ  ｗｉｔｈ  Ｈｉｓｔｏｒｙ，"  ２００３，  ｊｅｎｏｐｔｉｋ  Ｊｅｎａ，  Ｊｅｎａ，  Ｇｅｒｍａｎｙ，  ｗｗｗ．ｊｅｎｏｐｔｉｋ−ｌａｓｅｒｄｉｓｐｌａｙ．ｃｏｍ．
【非特許文献５】"Ｉｎｔｒｏｄｕｃｔｉｏｎ  ｏｆ  Ｓｏｆｔｗａｒｅ  ＭａｃＫｉｅｖ’ｓ  ３Ｄ  Ｗｅａｔｈｅｒ  Ｇｌｏｂｅ  &  Ａｔｌａｓ  ａｔ  Ｍａｃｗｏｒｌｄ  Ｓａｎ  Ｆｒａｎｃｉｓｃｏ  Ｅｘｃｅｅｄｓ  Ｅｘｐｅｃｔａｔｉｏｎｓ，"  ２００５，  Ｃｕｓｔｏｍ  Ｗｅａｔｈｅｒ，  Ｓａｎ  Ｆｒａｎｃｉｓｃｏ，  Ｃａｌｉｆｏｒｎｉａ，  ｈｔｔｐ：／／ｗｗｗ．ｃｕｓｔｏｍｗｅａｔｈｒ．ｃｏｍ／ｃｗ＿ｎｅｗｓ５５．ｈｔｍｌ
【非特許文献６】"Ｌａｓｅｒ  Ｄｉｓｐｌａｙ  Ｔｅｃｈｎｏｌｏｇｙ，"  Ｊｅｎｏｐｔｉｋ  ＬＤＴ，  Ｊｅｎａ，  Ｇｅｒｍａｎｙ，  （Ｄａｔｅ  Ｕｎｋｎｏｗｎ），  ｈｔｔｐ：／／ｗｗｗ．ｊｅｎｏｐｔｉｋｌａｓｅｒｄｉｓｐｌａｙ．ｃｏｍ／ｅｎｇｌｉｓｃｈ／ｉｎｄｅｘ＿ｔｅｃｈｎｏｌｏｇｙ．ｈｔｍ
【非特許文献７】"Ｌｉｇｈｔ  Ｂｌｕｅ  Ｏｐｔｉｃｓ  Ｄｅｍｏｎｓｔｒａｔｅｓ  Ｍａｔｃｈｂｏｘ−Ｓｉｚｅｄ  ＰＶＰｒｏ（ＴＭ）Ｐｒｏｊｅｃｔｏｒ  Ｅｖａｌｕａｔｉｏｎ  Ｋｉｔ，  ２００６，  Ａｄｖａｎｃｅｄ  Ｉｍａｇｉｎｇ  Ｐｒｏ  Ｍａｇａｚｉｎｅ，  Ｃｙｇｎｕｓ  Ｐｕｂｌｉｓｈｉｎｇ，  Ｆｔ．  Ａｔｋｉｎｓｏｎ，  Ｗｉｓｃｏｎｓｉｎ，  ｈｔｔｐ：／／ｗｗｗ．ａｄｖａｎｃｅｄｉｍａｇｉｎｇｐｒｏ．ｃｏｍ／ａｒｔｉｃｌｅ／ａｒｔｉｃｌｅ．ｊｓｐ？ｉｄ＝２３９８．
【非特許文献８】"Ｌｉｇｈｔ  Ｂｌｕｅ  Ｏｐｔｉｃｓ，"  ２００６，  ｈｏｌｄｓｗｏｒｔｈ  Ａｓｓｏｃｉａｔｅｓ，  Ｃａｍｂｒｉｄｇｅ，  Ｕｎｉｔｅｄ  Ｋｉｎｇｄｏｍ，  ｈｔｔｐ：／／ｗｗｗ．ｈｏｌｄｓｗｏｒｔｈ−ａｓｓｏｃｉａｔｅｓ．ｃｏ．ｕｋ／Ｌｉｇｈｔ＿Ｂｌｕｅ＿Ｏｐｔｉｃｓ．１６２．０．ｈｔｍｌ
【非特許文献９】"Ｍｉｃｒｏ−Ｍｉｎｉ  Ｖｉｄｅｏ  Ｐｒｏｊｅｃｔｏｒ，"  ２００６，  ＤａＶｉｎｃｉ  Ｉｎｓｔｉｔｕｔｅ’ｓ  Ｉｍｐａｃｔ  Ｌａｂ，  Ｌｏｕｉｓｖｉｌｌｅ，  Ｃｏｌｏｒａｄｏ，  ｈｔｔｐ：／／ｗｗｗ．ｉｍｐａｃｔｌａｂ．ｃｏｍ／ｍｏｄｕｌｅｓ．ｐｈｐ？ｎａｍｅ＝Ｎｅｗｓ&ｆｉｌｅ＝ａｒｔｉｃｌｅ&ｓｉｄ＝７３３１．
【非特許文献１０】"Ｎａｎｏｔｅｃｈｎｏｌｏｇｙ  ｆｏｒ  Ｆｕｌｌ  Ｃｏｌｏｒ  Ｌａｓｅｒ  Ｔｅｌｅｖｉｓｉｏｎ，"  ２０００，  Ｔｅｃｈｎｉｓｃｈ  Ｕｎｉｖｅｒｓｉｔａｔ  Ｂｅｒｌｉｎ，  Ｂｅｒｌｉｎ，  Ｇｅｒｍａｎｙ，  ｈｔｔｐ：／／ｓｏｌ．ｐｈｙｓｉｋ．ｔｕ−ｂｅｒｌｉｎｅ．ｄｅ／ｈｔｍ＿ｇｒｏｕｐ／ｒｅｓｅａｒｃｈ／ｈｉｇｈｐｏｗｅｒ／ｍｏｔｉｖａｔｉｏｎ．ｈｔｍｌ
【非特許文献１１】"ＰＶＰｒｏＴＭＥｎａｂｌｉｎｇ  Ｐｅｒｓｏｎａｌ  Ｖｉｄｅｏ  Ｐｒｏｊｅｃｔｏｒｓ，"  ２００６，  Ｌｉｇｈｔ  Ｂｌｕｅ  Ｏｐｔｉｃｓ  Ｌｔｄ．，  Ｃａｍｂｒｉｄｇｅ，  Ｕｎｉｔｅｄ  Ｋｉｎｇｄｏｍ，  ｗｗｗ．ｌｉｇｈｔｂｌｕｅｏｐｔｉｃｓ．ｃｏｍ
【非特許文献１２】"ＲＧＢ  &  ＲＹＢ  Ｃｏｌｏｒ，"  ２０００，  Ｐａｓｓｉｏｎ  Ｃｏｍｐｕｔｅｒｓ，  ｈｔｔｐ：／／ｗｗｗ．ｃｏｍｐｗｏｒｋｓ．ｆａｉｔｈｗｅｂ．ｃｏｍ／ｅｌｅｃｔｒｏｎｉｃｓ／ｔｈｅｏｒｙ／ｌｉｇｈｔ／ｒｇｂｒｙｂ００１．ｈｔｍｌ
【非特許文献１３】ＢＩＥＨＬＩＧ  ｅｔ  ａｌ．，  "ＬａｓｅｒＣａｖｅ  -  Ｓｏｍｅ  Ｂｕｉｌｄｉｎｇ  Ｂｌｏｃｋｓ  ｆｏｒ  Ｉｍｍｅｒｓｉｖｅ  Ｓｃｒｅｅｎｓ，"  ２００４．
【非特許文献１４】ＣＯＯＬＥＹ，  "Ｂａｔｔｌｅ  ｏｆ  ｔｈｅ  ３Ｄ  Ｇｌｏｂｅｓ，"  ２００５，  ｈｔｔｐ：／／ｂｌｏｇ．ｄｅｅｊｅ．ｔｖ／ｍｕｓｉｎｇｓ／２００５／０２／ｂａｔｔｌｅ−ｏｆ＿ｔｈｅ＿３．ｈｔｍｌ．
【非特許文献１５】ＤＥＢＯＥＲ，  "Ｌａｓｅｒ  Ｐｒｏｊｅｃｔｏｒｓ  Ｃｏｍｉｎｇ  ｔｏ  Ｃｅｌｌ  Ｐｈｏｎｅｓ  ａｎｄ  ＰＤＡｓ，"  ２００６，  Ａｕｄｉｏｈｏｌｉｃｓ，  ＬＬＣ，  Ｎｅｗ  Ｐｏｒｔ  Ｒｉｃｈｅｙ，  Ｆｌｏｒｉｄａ，  ｈｔｔｐ：／／ｗｗｗ．ａｕｄｉｏｈｏｌｉｃｓ．ｃｏｍ／ｎｅｗｓ／ｅｄｉｔｏｒｉａｌｓ／ｌａｓｅｒ−ｐｒｏｊｅｃｔｏｒｓ−ｃｏｍｉｎｇ−ｔｏ−ｃｅｌｌ−ｐｈｏｎｅｓ−ａｎｄ−ＰＤＡｓ／．
【非特許文献１６】ＦＯＸ，"Ｆｕｌｌ  Ｃｏｌｏｒ  Ｌａｓｅｒ  Ｔｅｌｅｖｉｓｉｏｎ，"  ２０００，  Ｌａｓｅｒ  Ｖｉｓｉｏｎ  Ｔｅｃｈｎｏｌｏｇｉｅｓ，  ＤＯＥ  Ｓｃｉｅｎｔｉｆｉｃ  &  Ｔｅｃｈｎｉｃａｌ  Ｉｎｆｏｒｍａｔｉｏｎ，  ｈｔｔｐ：／／ｗｗｗ．ｏｓｔｉ．ｇｏｖ／ｂｒｉｄｇｅ／ｐｕｒｌ．ｃｏｖｅｒ．ｊｓｐ？ｐｕｒｌ＝／７６１０３０−ＶＷｌｕ６ｒ／ｗｅｂｖｉｅｗａｂｌｅ／７６１０３０．ｐｄｆ
【非特許文献１７】ＧＡＩＮＥＲ  ｅｔ  ａｌ．，  "Ａ  Ｆｕｌｌ−Ｃｏｌｏｒ，  Ｈｉｇｈ−Ｒｅｓｏｌｕｔｉｏｎ  Ｌａｓｅｒ  Ｐｒｏｊｅｃｔｏｒ  ｆｏｒ  ａ  Ｆｌｉｇｈｔ  Ｓｉｍｕｌａｔｏｒ  Ｖｉｓｕａｌ  Ｄｉｓｐｌａｙ，"  １９９３，  ＥａｒｔｈＬｉｎｋ，  Ｉｎｃ．，  Ａｔｌａｎｔａ，  Ｇｅｏｒｇｉａ，  ｈｔｔｐ：／／ｈｏｍｅ．ｅａｒｔｈｌｉｎｋ．ｎｅｔ／〜ｊｃｇａｉｎｅｒ／Ｒｅｓｕｍｅ／１ｐｒｏｊ．ｈｔｍｌ
【非特許文献１８】ＨＯＬＬＥＭＡＮＮ  ｅｔ  ａｌ．，  "ＲＧＢ  Ｌａｓｅｒｓ  ｆｏｒ  Ｌａｓｅｒ  Ｐｒｏｊｅｃｔｉｏｎ  Ｄｉｓｐｌａｙｓ，"  （Ｄａｔｅ  Ｕｎｋｎｏｗｎ）  Ｌａｓｅｒ  Ｆ／Ｘ，  Ｈａｍｉｌｔｏｎ，  Ｏｎｔａｒｉｏ，  Ｃａｎａｄａ，  ｈｔｔｐ：／／ｗｗｗ．ｌａｓｅｒｆｘ．ｃｏｍ／Ｂａｃｋｓｔａｇｅ．ＬａｓｅｒＦＸ．ｃｏｍ／Ｓｙｓｔｅｍｓ／ｒｇｂ−ｄｐｓｓ．ｐｄｆ．
【非特許文献１９】ＬＩＮＤＳＴＲＯＭ，  "Ｆｕｔｕｒｅ  Ｄｉｓｐｌａｙ  Ｄｅｖｉｃｅｓ，  Ｐａｒｔ  ３：  Ｌａｓｅｒ  Ｐｒｏｊｅｃｔｉｏｎ，"  ２０００，  Ｉｎｆｏｃｏｍｍ  Ｉｎｔｅｒｎａｔｉｏｎａｌ，  Ｆａｉｒｆａｘ  Ｖｉｒｇｉｎｉａ，  ｈｔｔｐ：／／ｗｗｗ．ｉｎｆｏｃｏｍｍ．ｏｒｇ／Ｎｅｗｓｎｅｔｗｏｒｋ／ｉｎｄｅｘ．ｃｆｍ？ｏｂｊｅｃｔＩＤ＝Ｂ９ＣＣＤ０Ｄ０−ＣＢ０８−１１Ｄ４−Ａ．
【非特許文献２０】ＭＵＲＰＨＹ，  "Ｌａｓｅｒ  Ｐｒｏｊｅｃｔｉｏｎ  Ｅｑｕｉｐｍｅｎｔ，"  １９９３，  Ｉｎｔｅｒｎａｔｉｏｎａｌ  Ｌａｓｅｒ  Ｄｉｓｐｌａｙ  Ａｓｓｏｃｉａｔｉｏｎ，  Ｏｒｌａｎｄｏ，  Ｆｌｏｒｉｄａ，  ｈｔｔｐ：／／ｗｗｗ．ｌａｓｅｒｉｓｔ．ｏｒｇ／ｉｌｇａ／ｇｌｏｓｓａｒｙ．ｓｔｈｍｌ
【非特許文献２１】ＰＩＱＵＥＰＡＩＬＬＥ，  "Ａ  Ｐｏｒｔａｂｌｅ  Ｈｏｌｏｇｒａｐｈｉｃ  Ｐｒｏｊｅｃｔｏｒ，"  ２００５，  ｈｔｔｐ：／／ｗｗｗ．ｐｒｉｍｉｄｉ．ｃｏｍ／２００５／０１／０２．ｈｔｍｌ
【非特許文献２２】ＲＧＢ  Ｌａｓｅｒ  Ｐｒｏｊｅｃｔｏｒ，  ＲＧＢ  Ｌａｓｅｒ  Ｐｒｏｊｅｃｔｏｒ  ＬＭＧ−ＲＧＢＡＯＬＰ−０２  Ｃｏｍｐｏｎｅｎｔ  Ｃａｔａｌｏｇ，  ２００４，  Ｌｉｇｈｔ  Ｍａｎａｇｅｍｅｎｔ  Ｇｒｏｕｐ，  ｈｔｔｐ：／／ｗｗｗ．１ｍｇｒ．ｎｅｔ／Ｐｒｏｄｕｃｔｓ／ＲＧＢ＿Ｃ＿Ｃａｔａｌｏｇｕｅ．ｈｔｍ
【非特許文献２３】ＳＣＯＴＴ，  "Ｖｉｄｅｏ  ａｎｄ  Ｄａｔａ  Ｐｒｏｊｅｃｔｉｏｎ  Ｓｙｓｔｅｍｓ，"  ２００６，  Ｉｎｔｅｒｎａｔｉｏｎａｌ  Ｐｌａｎｅｔａｒｙ  Ｓｏｃｉｅｔｙ，  Ｉｎｃ．，  Ａｍａｒｉｌｌｏ，  Ｔｅｘａｓ，  ｈｔｔｐ：／／ｗｗｗ．ｉｐｓ−ｐｌａｎｅｔａｒｉｕｍ．ｏｒｇ／ｐｕｂｓ／ＰＤＧ／ＶｉｄｅｏＤａｔａ＿Ｐｒｏｊｅｃｔｉｏｎ−Ｆ．ｐｄｆ
【非特許文献２４】ＴＲＡＶＩＳ  ｅｔ  ａｌ．，  "Ｗｅｄｇｅ−Ｓｈａｐｅｄ  Ｓｃｒｅｅｎｓ  ｆｏｒ  Ｆｌａｔ  Ｐａｎｅｌ  Ｐｒｏｊｅｃｔｉｏｎ  Ｄｉｓｐｌａｙ，"  ２０００，  Ｃａｍｂｒｉｄｇｅ  Ｕｎｉｖｅｒｓｉｔｙ，  Ｃａｍｂｒｉｄｇｅ，  Ｕｎｉｔｅｄ  Ｋｉｎｇｄｏｍ，  ｈｔｔｐ：／／ｗｗｗ２．ｅｎｇ．ｃａｍ．ａｃ．ｕｋ／〜ａｒｌｔ１／ｗｅｄｇｅ／Ｗｅｄｇｅ．ｈｔｍ